(57)【特許請求の範囲】
【請求項１】
車輪の回転速度に応じた速度パルスを生成する速度発電機と、
軌道上へ照射したミリ波の反射波に基づいて第１の列車速度を検出する速度センサと、を備え、
前記速度パルスに基づいて生成された第２の列車速度と前記第１の列車速度とを比較、若しくは前記第２の列車速度と前記第１の列車速度それぞれに所定時間を乗じて生成した第２の移動距離と第１の移動距離とを比較して、当該比較結果に所定値以上の差が生じかつ前記第２の列車速度が所定速度より低い場合に故障情報を出力する
ことを特徴とする列車制御システム。
【請求項２】
請求項１に記載の列車制御システムにおいて、
前記故障情報の出力に併せて、列車の速度制御に用いる列車速度の情報を前記第２の列車速度から前記第１の列車速度に切り替え、列車速度を算出することおよび列車の速度制御に用いる移動距離の情報を前記第１の列車速度の積算により生成する
ことを特徴とする列車制御システム。
【請求項３】
車輪の回転速度に応じた速度パルスを生成する速度発電機と、
軌道上へ照射したミリ波の反射波に基づいて第１の列車速度を検出する速度センサと、を備え、
前記速度パルスに基づいて生成された第２の列車速度と前記第１の列車速度とを比較、若しくは前記第２の列車速度と前記第１の列車速度それぞれに所定時間を乗じて生成した第２の移動距離と第１の移動距離とを比較して、当該比較結果に所定値以上の差が生じた場合、または、当該比較結果に所定値以上の差が生じかつ前記第２の列車速度が所定速度より低い場合、に故障情報を出力し、
非常ブレーキ指令を検知すると、列車の速度制御に用いる列車速度の情報を前記第２の列車速度から前記第１の列車速度に切り替え、列車速度を算出することおよび列車の速度制御に用いる移動距離の情報を前記第１の列車速度の積算により生成する
ことを特徴とする列車制御システム。
【請求項４】
車輪の回転速度に応じた速度パルスを生成する速度発電機と、
軌道上へ照射したミリ波の反射波に基づいて第１の列車速度を検出する速度センサと、を備え、
前記速度パルスに基づいて生成された第２の列車速度と前記第１の列車速度とを比較、若しくは前記第２の列車速度と前記第１の列車速度それぞれに所定時間を乗じて生成した第２の移動距離と第１の移動距離とを比較して、当該比較結果に所定値以上の差が生じた場合、または、当該比較結果に所定値以上の差が生じかつ前記第２の列車速度が所定速度より低い場合、に故障情報を出力し、
前記車輪の滑走を検知すると、列車の速度制御に用いる列車速度の情報を前記第２の列車速度から前記第１の列車速度に切り替え、列車速度を算出することおよび列車の速度制御に用いる移動距離の情報を前記第１の列車速度の積算により生成する
ことを特徴とする列車制御システム。
【請求項５】
車輪の回転速度に応じた速度パルスを生成する速度発電機と、
軌道上へ照射したミリ波の反射波に基づいて第１の列車速度を検出する速度センサと、を備え、
前記速度パルスに基づいて生成された第２の列車速度と前記第１の列車速度とを比較、若しくは前記第２の列車速度と前記第１の列車速度それぞれに所定時間を乗じて生成した第２の移動距離と第１の移動距離とを比較して、当該比較結果に所定値以上の差が生じた場合、または、当該比較結果に所定値以上の差が生じかつ前記第２の列車速度が所定速度より低い場合、に故障情報を出力し、
列車の速度制御に用いる情報として、前記第１の列車速度および前記第２の列車速度の高い方の列車速度を選択し、列車速度を算出することおよび列車の速度制御に用いる移動距離の情報を前記第１の列車速度の積算により生成する
ことを特徴とする列車制御システム。
【請求項６】
請求項１〜５のいずれか１項に記載の列車制御システムにおいて、
前記故障情報の出力は警報の表示または報知である
ことを特徴とする列車制御システム。
【発明の詳細な説明】
【技術分野】
【０００１】
本発明は、列車の走行速度を制御する列車制御システムに関する。
【背景技術】
【０００２】
現在、列車の走行速度を認識する方法としては、一般的に速度発電機が用いられている。速度発電機は、列車の車軸に設置して、車軸の回転に応じた速度パルスを発生させ、発生した速度パルスと設定された車輪径から列車の速度を検出する。
この速度発電機の故障を確実に検出するために、例えば特許文献１には、速度発電機を用いて計測した走行距離と、速度発電機とは別の手段（速度センサやＧＰＳなど）で計測した列車の走行距離と、２点の地上子間の距離情報とを比較することによって、速度発電機の故障の有無を判定する技術が示されている。また、特許文献２には、速度発電機から求めた走行距離とＧＰＳによって求めた走行距離とを比較し、その差が大きくなった場合に故障や空転・滑走が発生したものと判定する技術が示されている。
【先行技術文献】
【特許文献】
【０００３】
【特許文献１】特開２０１３−２１３６８６号公報
【特許文献２】特開２０１０−２３４９７８号公報
【発明の概要】
【発明が解決しようとする課題】
【０００４】
速度発電機は、車軸の回転に応じた速度パルスと車輪径から速度を求めているため、速度発電機と速度センサとによる走行距離を比較して故障を検知する方法では、車輪径の設定を誤った場合に、速度発電機に異常が無くても比較結果に差が出てしまい、速度発電機が故障していると誤って判断してしまう課題がある。
また、速度発電機と速度センサとの検出速度を比較しようとすると、ミリ波速度センサなどによる検出速度は高速域では検出精度が落ち、また、軌道条件などによっても検出精度が落ちる可能性もある。そのため、速度発電機に異常が無い場合でも比較結果に差が出てしまい、速度発電機が故障していると誤って判断してしまう課題がある。
本発明は、上述した課題を解決することを目的とする。
【課題を解決するための手段】
【０００５】
上述した課題を解決するために、本発明に係る列車制御システムは、車輪の回転速度に応じた速度パルスを生成する速度発電機と、軌道上へ照射したミリ波の反射波に基づいて第１の列車速度を検出する速度センサと、を備え、前記速度パルスに基づいて生成された第２の列車速度と第１の列車速度とを比較して、当該比較結果に所定値以上の差が生じた場合に故障情報を出力することを特徴とする。
【発明の効果】
【０００６】
本発明によれば、速度発電機の異常をより的確に把握し、併せて列車の速度制御に対してより的確な列車速度を適用することにより、列車制御システムの安全性をより一層向上させることができる。
【図面の簡単な説明】
【０００７】
【図１】図１は、本発明の実施例１に係る列車制御システムの構成を示す図である。
【図２】図２は、実施例１に係るＡＴＣ装置の構成を示す図である。
【図３】図３は、実施例１に係るミリ波Ｉ／Ｆ装置の構成を示す図である。
【図４】図４は、実施例２に係るミリ波Ｉ／Ｆ装置の構成を示す図である。
【図５】図５は、実施例３に係るミリ波Ｉ／Ｆ装置の構成を示す図である。
【図６】図６は、実施例４に係るミリ波Ｉ／Ｆ装置の構成を示す図である。
【図７】図７は、実施例５に係るＡＴＣ装置の構成を示す図である。
【図８】図８は、実施例６に係るＡＴＣ装置の構成を示す図である。
【図９】図９は、実施例７に係るＡＴＣ装置の構成を示す図である。
【図１０】図１０は、実施例８に係るＡＴＣ装置の構成を示す図である。
【図１１】図１１は、実施例９に係るＡＴＳ装置の構成を示す図である。
【図１２】図１２は、実施例１０に係るＡＴＳ−Ｐ装置の構成を示す図である。
【図１３】図１３は、実施例１１に係るＡＴＣ無線式装置の構成を示す図である。
【図１４】図１４は、実施例１２に係るＡＴＯ装置の構成を示す図である。
【発明を実施するための形態】
【０００８】
以下、本発明の実施形態として、実施例１〜実施例１２について、図面を用いて順に説明する。
【実施例１】
【０００９】
図１は、本発明の実施例１に係る列車制御システムの構成を示す図である。列車は、複数の車両を連結して構成されるところ、図１では、先頭の車両の構成のみを示す。図１に示す通り、車両は、ミリ波センサ１、速度発電機２、ミリ波Ｉ／Ｆ装置３、ＡＴＣ装置４、ブレーキ制御装置５、故障表示装置６、受電器７および車上子９を備えている。
速度発電機２は、車両の車軸に設置され、車軸の回転に応じた速度パルス信号を出力する装置である。速度パルス信号は、現在の列車速度を算出する際に使用される信号であり、ＡＴＣ装置４およびミリ波Ｉ／Ｆ装置３に入力される。
【００１０】
地上子８は、列車の軌道沿線の地上側に設置されており、地上子８の種別により、例えば地上子８が設置されている位置情報や列車停止のための停止信号、列車速度を制限するための速度制限等の信号を送信する装置である。
車両が搭載する車上子９は、地上子８から送信された位置情報等の信号を受信する装置であり、受信した位置情報等の信号をＡＴＣ装置４へ出力する。例えば、位置情報信号は、速度パルス信号に基づいてＡＴＣ装置４で生成される列車の位置情報を補正する際に使用される。
【００１１】
受電器７は、レールに流れているＡＴＣ信号を受信する装置である。ＡＴＣ信号は、軌道回路毎に流れている信号で、進入可能な軌道回路数等の停止位置に関する情報を示し、受電器７からＡＴＣ装置４へ出力される。ＡＴＣ装置４は、ＡＴＣ信号を列車の制限速度を決定する演算に使用する。
ブレーキ制御装置５は、ＡＴＣ装置４で生成されるブレーキ指令に基づき、列車を減速させる装置である。
【００１２】
ミリ波センサ１は、列車の床下に設置され、ミリ波を軌道上に放射して、軌道面から反射した反射波を受信するセンサである。列車が走行している場合、ドップラ効果により、軌道上に放射したミリ波と軌道面から反射した反射波の周波数が異なる。ミリ波センサ１は、軌道上に放射したミリ波と軌道面から反射した反射波の周波数の差を利用して列車速度を算出する。
【００１３】
ミリ波Ｉ／Ｆ装置３は、ミリ波センサ１から出力された速度信号および速度発電機２から出力された速度パルス信号を入力とする。通常時は、速度発電機２からの速度パルス信号がＡＴＣ装置４へ出力される。また、ミリ波Ｉ／Ｆ装置３は、ブレーキ制御装置５又は運転台などから非常ブレーキ指令を入力するとその指令を検知し、ミリ波センサ１から入力した速度信号（列車速度）より算出した速度パルスをＡＴＣ装置４へ出力する。
ＡＴＣ装置４は、入力した速度パルス信号に基づいて列車速度を生成し、この列車速度に基づいてブレーキ指令を生成する。
【００１４】
ここで、非常ブレーキ指令が出力された場合には、強いブレーキトルクが車輪に掛るため、車輪が滑走する可能性が高い。このため、車輪が滑走している間は、速度発電機の信号からは正しい列車速度を検出することができない。
そのため、ミリ波Ｉ／Ｆ装置３は、非常ブレーキ指令が出力されたことを検知した場合に、ミリ波センサ１から入力した速度信号（列車速度）から算出した速度パルスを速度発電機２からの速度パルスに替えて出力し、ＡＴＣ装置４に入力する。これにより、車輪の滑走が発生し易い非常ブレーキ信号の出力時に、より確実に列車速度を検出できる。
【００１５】
また、ミリ波Ｉ／Ｆ装置３は、速度発電機２からの速度パルスを列車速度に変換し、この列車速度とミリ波センサ１からの速度信号（列車速度）とを比較して、各列車速度の間に所定値以上の差が生じた場合に、故障情報を故障表示装置６に対して出力する。
故障表示装置６は、ミリ波Ｉ／Ｆ装置３から故障情報を入力した場合に、表示画面上に警報などを表示して運転士に故障が生じたことを知らせる。
【００１６】
図２は、本発明の実施例１に係るＡＴＣ装置４の構成を示す図である。図２に示す通り、ＡＴＣ装置４は、列車速度算出部、ＡＴＣ照査速度算出部、照査部および車上データベースを備える。また、ＡＴＣ装置４は、速度発電機２またはミリ波Ｉ／Ｆ装置３から速度パルスを、車上子９から位置情報等の信号を、受電器７からＡＴＣ信号を、それぞれ入力信号とする。
ＡＴＣ装置４の車上データベースは、区間コード、在線軌道回路コード、経路コードおよび勾配などの情報を保持している。
【００１７】
ＡＴＣ照査速度算出部は、受電器７からのＡＴＣ信号に含まれる区間コードおよび在線軌道回路コードと、地上子８から送信され車上子９が受信した位置情報と、列車速度算出部にて求めた列車速度の積算距離などから、列車の現在位置を認識する。また、列車速度算出部にて求めた列車速度の積算距離は、移動距離情報として列車の速度制御に用いることができる。そして、ＡＴＣ信号に含まれる経路コードおよび開通区間から認識した停車位置から、現在位置から停車位置までのＡＴＣ照査速度を、車上データベースから得た区間ごとの勾配を加味して算出する。
【００１８】
列車速度算出部では、速度発電機２またはミリ波Ｉ／Ｆ装置３から取得した速度パルスから列車速度を算出する（なお、速度発電機２から取得した速度パルスに関しては、予め設定されている車輪径の情報を用いて列車速度を算出する）。
照査部は、ＡＴＣ照査速度算出部で算出した照査速度および列車速度算出部で算出した列車速度を比較し、列車速度が照査速度を超過しないようにブレーキ指令をブレーキ制御装置５に対して出力する。
【００１９】
次に、本発明に係るミリ波Ｉ／Ｆ装置３として、実施例１〜実施例４について構成および機能（動作態様）を説明する。
図３は、本発明の実施例１に係るミリ波Ｉ／Ｆ装置３の構成を示す図である。実施例１の機能（動作態様）については上述したが、ミリ波Ｉ／Ｆ装置３の構成と照らし合わせてその機能について述べる。図３に示す通り、ミリ波Ｉ／Ｆ装置３は、列車速度算出部、速度パルス変換部、比較部および速度パルス選択回路を備える。
【００２０】
列車速度算出部は、速度発電機２からの速度パルスと予め設定されている車輪径の情報とから列車速度を算出する。
比較部は、ミリ波センサ１からの列車速度と列車速度算出部で算出した列車速度とを比較し、比較結果が予め定めた故障判断条件を満たす場合に、故障表示装置６へ故障情報を出力する。ここで、故障判断条件としては、列車速度が所定速度よりも低い低速度域において、ミリ波センサ１からの列車速度と列車速度算出部で算出した列車速度との速度差が、閾値（例えば１ｋｍ／ｈ）以上となることを基準とすることが望ましい。また、比較部では、速度同士の比較のみならず、ミリ波センサ１からの列車速度に所定時間を乗じて生成した移動距離情報と、列車速度算出部で算出した列車速度に前記所定時間を乗じて生成した移動距離情報とを比較し、比較結果が予め定めた故障判断条件を満たす場合に、故障表示装置６へ故障情報を出力するようにしても良い。移動距離情報で比較を行う場合の故障判断条件としては、列車速度が所定速度よりも低い低速度域において、比較部で生成した各移動距離情報の差分が、閾値以上となることを基準とすることが望ましい。
【００２１】
また、ミリ波センサは、軌道面からの反射波に基づいて列車速度を計測するため、列車の速度が速くなると速度検出の精度が低下するという特性がある。そのため、高速域で速度差が大きくなった場合に、速度発電機の異常が原因であるか、ミリ波センサの速度検出精度の低下が原因であるか、を特定することができない。よって、上述したように、ミリ波センサの速度検出精度が維持できる低速度域において、速度差が閾値以上となる場合には、速度発電機の異常が原因である可能性が高いと判断できる。
【００２２】
更に、ミリ波Ｉ／Ｆ装置３は、速度パルス変換部にて、ミリ波センサ１からの列車速度から速度パルスを生成し、速度パルス選択回路にて、ＡＴＣ装置へ出力する速度パルスを選択できる構成を備える。通常時は、速度発電機２からの速度パルスをＡＴＣ装置４へ出力するが、列車が強いブレーキを出力した場合は、上述したように、車輪が滑走し、速度発電機２からの速度パルスでは速度が正しく算出できない恐れがある。そのために、実施例１では、ミリ波Ｉ／Ｆ装置３が、非常ブレーキ指令をブレーキ制御装置５又は運転台などから入力した場合に、列車が非常ブレーキ指令を出力したと判断する。そして、速度パルス選択回路が、速度発電機２からの速度パルスに替えて、ミリ波センサ１からの列車速度を速度パルス変換部により変換した速度パルスをＡＴＣ装置４へ出力する。
【実施例２】
【００２３】
図４は、本発明の実施例２に係るミリ波Ｉ／Ｆ装置３の構成を示す図である。基本構成、故障情報の検出／出力および通常時に速度発電機２からの速度パルスをＡＴＣ装置４へ出力する点は、図３に示す実施例１と同様であるので、異なる点を述べる。
【００２４】
図４に示す通り、実施例２では、ミリ波Ｉ／Ｆ装置３の比較部が、上述した故障判断条件を満たすと判断した場合に、故障情報を故障表示装置６へ出力すると共に、故障信号を速度パルス選択回路へも出力する。速度パルス選択回路は、当該故障信号をトリガとして、速度発電機２からの速度パルスに替えて、ミリ波センサ１からの列車速度を速度パルス変換部により変換した速度パルスをＡＴＣ装置４へ出力する。
【００２５】
以上のように、本発明に係るミリ波Ｉ／Ｆ装置３の実施例２は、速度発電機２の故障信号をトリガとして、ＡＴＣ装置４へ出力する速度パルスを、ミリ波センサ１からの列車速度より求めた速度パルスに切り替える。これにより、速度発電機２が故障した場合でも、列車の保安制御を継続することができる。
【実施例３】
【００２６】
図５は、本発明の実施例３に係るミリ波Ｉ／Ｆ装置３の構成を示す図である。基本構成、故障情報の検出／出力および通常時に速度発電機２からの速度パルスをＡＴＣ装置４へ出力する点は、図３に示す実施例１と同様であるので、異なる点を述べる。
【００２７】
図５に示す通り、実施例３では、ＡＴＣ装置４が検知した車輪の滑走検知信号を利用する。ＡＴＣ装置４は、速度発電機２からの速度パルスから列車速度を算出し、算出した列車速度に基づいて車輪の滑走検知を行っている。ＡＴＣ装置４が車輪の滑走を検知すると、この滑走検知信号はミリ波Ｉ／Ｆ装置３の速度パルス選択回路に入力される。速度パルス選択回路は、この滑走検知信号をトリガとして、速度発電機２からの速度パルスに替えて、ミリ波センサ１からの速度信号を速度パルス変換部により変換した速度パルスをＡＴＣ装置４へ出力する。
【００２８】
以上のように、本発明に係るミリ波Ｉ／Ｆ装置３の実施例３は、ＡＴＣ装置４で検出した車輪の滑走検知信号をトリガとして、ＡＴＣ装置４へ出力する速度パルスを、ミリ波センサ１からの列車速度より求めた速度パルスに切り替える。これにより、車輪が滑走して速度発電機２からの速度パルスから正確な速度情報が得られない場合でも、列車の保安制御を継続することができる。
【実施例４】
【００２９】
図６は、本発明の実施例４に係るミリ波Ｉ／Ｆ装置３の構成を示す図である。基本構成および故障情報の検出／出力は、図３に示す実施例１と同様であるので、異なる点を述べる。
【００３０】
図６に示す通り、実施例４では、ミリ波Ｉ／Ｆ装置３の比較部は、ミリ波センサ１からの列車速度と列車速度算出部で算出した列車速度とを比較し、比較結果を速度パルス選択回路に出力する。速度パルス選択回路は、比較部から入力した比較結果により列車速度が高いと判断された方の速度パルスを選択してＡＴＣ装置４へ出力する。また、比較部では、速度同士の比較のみならず、ミリ波センサ１からの列車速度に所定時間を乗じて生成した移動距離情報と、列車速度算出部で算出した列車速度に前記所定時間を乗じて生成した移動距離情報とを比較して、比較結果を速度パルス選択回路に出力し、速度パルス選択回路は、比較部から入力した比較結果により移動距離が長いと判断された方の速度パルスを選択してＡＴＣ装置４へ出力するようにしても良い。
【００３１】
以上のように、本発明に係るミリ波Ｉ／Ｆ装置３の実施例４は、列車速度の検出結果として列車速度が高い方の速度パルスをＡＴＣ装置に出力する。これにより、常に安全側に列車制御を実施することができる。
【００３２】
上述した実施例１〜４では、ＡＴＣ装置４は、ミリ波センサ１からの列車速度と速度発電機２からの速度パルスとをミリ波Ｉ／Ｆ装置３を介して入力する構成である。
【００３３】
次に述べる実施例５〜８では、ＡＴＣ装置４は、ミリ波Ｉ／Ｆ装置３を介さず、ミリ波センサ１からの列車速度と速度発電機２からの速度パルスとを直接入力する構成である。すなわち、実施例５〜８それぞれは、実施例１〜４それぞれと機能的に対応する。異なる点は、図１に示す列車制御システムの構成からミリ波Ｉ／Ｆ装置３を除いた構成である点と、ミリ波Ｉ／Ｆ装置３が行う故障情報の検知機能をＡＴＣ装置４が行うようにした点である。
【実施例５】
【００３４】
図７は、本発明の実施例５に係るＡＴＣ装置４の構成を示す図である。実施例５は、機能的には実施例１に対応するもので、ＡＴＣ装置４の構成として、図２に示す構成に加えて比較部および速度選択回路を備える。
【００３５】
列車速度算出部は、速度発電機２から入力した速度パルスから列車速度を算出する。通常時において、速度選択回路は、列車速度算出部が速度発電機２からの速度パルスから算出した列車速度を選択して照査部へ出力する。照査部は、この列車速度とＡＴＣ照査速度算出部で算出した照査速度とを比較し、照査速度を超過しないようにブレーキ指令を出力する。
【００３６】
また、比較部は、ミリ波センサ１からの列車速度と速度パルスから列車速度算出部が算出した列車速度とを比較し、低速度域において１ｋｍ／ｈ以上の差が生じた場合などの故障判断条件が揃った場合に、故障表示装置６へ故障情報を出力する。すなわち、機能的には、実施例１のミリ波Ｉ／Ｆ装置３が故障情報を出力する動作態様と同様である。そして、この故障判断条件が揃った場合および非常ブレーキ指令が出力された場合に、速度選択回路は、ミリ波センサ１からの列車速度を選択して照査部へ出力する。
【実施例６】
【００３７】
図８は、本発明の実施例６に係るＡＴＣ装置４の構成を示す図である。実施例６は、機能的には実施例２に対応するもので、ＡＴＣ装置４の構成およびブレーキ指令を出力する動作態様は、上述した実施例５と同様である。また、故障情報を出力する動作態様およびこの故障情報を基に列車速度を選択する点は、実施例２と同様である。
【００３８】
この速度情報の選択に関して補足する。速度選択回路は、比較部が出力する故障信号をトリガとして、速度発電機２からの速度パルスから列車速度算出部が算出した列車速度に替えて、ミリ波センサ１からの列車速度を選択して照査部へ出力する。
【実施例７】
【００３９】
図９は、本発明の実施例７に係るＡＴＣ装置４の構成を示す図である。実施例７は、機能的には実施例３に対応するもので、ＡＴＣ装置４の構成として、上述した実施例５の構成に加えて滑走検知部を備える。ブレーキ指令を出力する動作態様は、実施例５の場合と同様である。また、故障情報を出力する動作態様および滑走検知信号をトリガとして列車速度を選択する点は、実施例３と同様である。
【００４０】
この速度情報の選択に関して補足する。滑走検知部は、速度発電機２からの速度パルスを入力とする列車速度算出部が算出した列車速度に基づいて滑走を検知し、その検知信号を速度選択回路へ出力する。速度選択回路は、滑走検知信号をトリガとして、速度発電機２からの速度パルスから算出した列車速度に替えて、ミリ波センサ１からの列車速度を選択して照査部を出力する。
【実施例８】
【００４１】
図１０は、本発明の実施例８に係るＡＴＣ装置４の構成を示す図である。実施例８は、機能的には実施例４に対応するもので、ＡＴＣ装置４の構成およびブレーキ指令を出力する動作態様は、実施例５と同様である。また、故障情報を出力する動作態様および高い方の列車速度を選択する点は、実施例４と同様である。
【００４２】
この高い方の列車速度選択に関して補足する。比較部は、速度発電機２からの速度パルスを入力とする列車速度算出部が算出した列車速度とミリ波センサ１からの列車速度とを常時比較し、常に速度の高い方を列車速度として選択して照査部へ出力する。
【００４３】
以上のとおり、実施例５〜８は、ミリ波センサ１からの列車速度をミリ波Ｉ／Ｆ装置３を介さずＡＴＣ装置へ入力することで、製作コストの削減に寄与するものである。また、列車速度の選択に関しては、対応する実施例１〜４と同様の機能を奏し、列車の保安制御を継続することができる（実施例８は、常に安全側の列車制御を可能にする）。
【００４４】
次に、本発明の実施例９〜１１として、本発明の実施例１に用いる図２のＡＴＣ装置４に替えて、ＡＴＳ装置、ＡＴＳ−Ｐ装置およびＡＴＣ装置無線式を採用した構成例を示す。また、本発明の実施例１２として、本発明の実施例１に用いる図２のＡＴＣ装置４に加える形でＡＴＯ装置を設けた構成例を示す。
【実施例９】
【００４５】
図１１は、実施例９として、図２のＡＴＣ装置４に替えて採用したＡＴＳ装置の構成を示す図である。ＡＴＳ装置は、列車速度算出部およびブレーキ指令部を備える。列車速度算出部は、速度発電機２から入力した速度パルスと予め設定されている車輪径の情報とから列車速度を算出し、モニタ装置にその列車速度を出力する。ブレーキ指令部は、地上子８から送信され車上子９が受信した停止信号を入力した場合に、ブレーキ制御装置５にブレーキ指令を出力する。
【実施例１０】
【００４６】
図１２は、実施例１０として、図２のＡＴＣ装置４または図９のＡＴＳ装置に替えて採用したＡＴＳ−Ｐ装置の構成を示す図である。ＡＴＳ―Ｐ装置は、列車速度算出部、照査部およびパターンデータベースを備える。
【００４７】
列車速度算出部は、速度発電機２から入力した速度パルスと予め設定されている車輪径の情報とから列車速度を算出する。照査部は、地上子８から送信され車上子９が受信した制限速度情報を入力すると、パターンデータベースからこの制限速度に対して保持している照査速度のパターンを読み込む。そして、照査部は、列車速度が読み込んだパターンを超過した場合に、ブレーキ制御装置５にブレーキ指令を出力する。
【実施例１１】
【００４８】
図１３は、実施例１１として、図２のＡＴＣ装置４に替えて採用したＡＴＣ無線式装置の構成を示す図である。ＡＴＣ無線式装置は、図２のＡＴＣ装置４の構成に加えて信号受信部を備える。
【００４９】
ＡＴＣ照査速度算出部がＡＴＣ照査速度を算出する動作態様は、実施例１に用いる図２のＡＴＣ装置４と同様である。ただし、図２のＡＴＣ装置４とは、無線機から受信したＡＴＣ信号を入力とする点が異なる。
列車速度算出部がブレーキ指令を出力する動作態様も、実施例１に用いる図２のＡＴＣ装置と同様である。
【実施例１２】
【００５０】
図１４は、実施例１２として、図２のＡＴＣ装置４に加える形で採用したＡＴＯ装置の構成を示す図である。ＡＴＯ装置は、列車速度算出部、ＡＴＯ照査速度算出部、照査部および車上データベースを備える。車上データベースが保持する情報は、図２のＡＴＣ装置４が備える車上データベースと同様である。
【００５１】
ＡＴＯ照査速度算出部では、ＡＴＣ装置４からの制御信号に含まれる区間コードおよび在線軌道回路コードと、地上子８から送信され車上子９が受信した位置情報と、列車速度算出部にて求めた列車速度の積算距離などから、列車の現在位置を認識する。また、列車速度算出部にて求めた列車速度の積算距離は、移動距離情報として列車の速度制御に用いることができる。そして、上述した制御信号に含まれる経路コードおよび開通区間から認識した停車位置から、現在位置から停車位置までのＡＴＯ照査速度を、車上データベースから得た区間ごとの勾配を加味して算出する。
【００５２】
列車速度算出部は、速度発電機２から取得した速度パルスおよび予め設定されている車輪径の情報から列車速度を算出する。
照査部は、ＡＴＯ照査速度算出部で算出したＡＴＯ照査速度と列車速度算出部で算出した列車速度とを比較し、列車速度がＡＴＯ照査速度を超過しないようにブレーキ指令又は力行指令を出力し、停車位置に列車を停車させる。
【００５３】
以上のように、本発明に用いるＡＴＣ装置に替わる形で、ＡＴＳ装置、ＡＴＳ−Ｐ装置またはＡＴＣ無線式装置を、また、本発明に係るＡＴＣ装置に加える形でＡＴＯ装置を、それぞれ採用することもでき、本発明に係る列車制御システムを適用する範囲を拡げることを可能にする。
【００５４】
なお、本発明は、上述した実施例に限定されるものではなく、種々の変形例を含むものである。例えば、ある実施例の構成に他の実施例の構成を加えることが可能であり、また、ある実施例の構成の一部を他の実施例の構成に置き換えることも可能である。そしてまた、各実施例の構成の一部について、他の構成の追加・削除・置換をすることが可能である。
【符号の説明】
【００５５】
１…ミリ波センサ、２…速度発電機、３…ミリ波Ｉ／Ｆ装置、４…ＡＴＣ装置、
５…ブレーキ制御装置、６…故障表示装置、７…受電器、８…地上子、９…車上子
【図１】
0006535619.tif 000002
【図２】
0006535619.tif 000003
【図３】
0006535619.tif 000004
【図４】
0006535619.tif 000005
【図５】
0006535619.tif 000006
【図６】
0006535619.tif 000007
【図７】
0006535619.tif 000008
【図８】
0006535619.tif 000009
【図９】
0006535619.tif 000010
【図１０】
0006535619.tif 000011
【図１１】
0006535619.tif 000012
【図１２】
0006535619.tif 000013
【図１３】
0006535619.tif 000014
【図１４】
0006535619.tif 000015